(57)【要約】      （修正有）【課題】アクティブな基地局と移動局との間の通信リンクが移動局がハンドオフ指令メッセージを受信する前に劣化したときでさえも、ソフトハンドオフを完了させることを可能にする通信システムを提供する。【解決手段】移動局は“アクティブセット”と呼ばれる通信している基地局Ｘのリストを維持する。さらに、移動局はアクティブセット中の基地局Ｘに近接する基地局Ｙの別のリストを維持している。このリストは“近隣セット”と呼ばれる。移動局内のメモリは移動局が近隣セットのこれらの基地局Ｙから送信される情報を復調することを可能にする情報を含んでいる。移動局はパイロット強度測定メッセージ（ＰＳＭＭ）中に基地局Ｙを含むとき、アクティブセット中に基地局Ｙを位置させる。【選択図】図６
2010226731.tif 000002
【特許請求の範囲】
【請求項１】
移動局と第２の基地局のトランシーバ間のトラヒックチャンネルが通信に使用されながら少なくとも第１の基地局のトランシーバにより送信される信号強度を移動局で測定し、
移動局と現在ソフトハンドオフしておらず、移動局により測定された信号強度がしきい値よりも大きい信号強度を有する第１の基地局を第２の基地局に対して識別し、
第１の基地局の識別に応答して第１の基地局と移動局間にトラヒックチャンネルを設定するステップを有するソフトハンドオフ方法。
【請求項２】
データを移動局へ送信するように第１の基地局のトランシーバに命令するステップをさらに有する請求項１記載の方法。
【請求項３】
リソース割当命令を送信するステップをさらに有し、
リソース割当命令の送信はシステム制御装置によって移動局との通信を処理するように第１の基地局のトランシーバへ助言する請求項１記載の方法。
【請求項４】
移動局が通信していない第１のトランシーバから指令メッセージを送信するステップをさらに有する請求項１記載の方法。
【請求項５】
移動局においてアクティブセットに、移動局が通信していない第１のトランシーバの識別子を付加するステップをさらに有し、付加前にアクティブセットは移動局が通信している基地局トランシーバの識別を含んでいる請求項１記載の方法。
【請求項６】
移動局が通信していない第１の基地局のトランシーバから指令メッセージを受信するステップをさらに有する請求項１記載の方法。
【請求項７】
移動局が通信していない第１の基地局のトランシーバの識別子を移動局においてアクティブセットに付加し、
移動局が通信していない第１の基地局のトランシーバから指令メッセージを受信するステップをさらに有する請求項１記載の方法。
【請求項８】
移動局が通信していない第１の基地局のトランシーバの識別を移動局のアクティブセットに付加し、
移動局が通信していない第１の基地局のトランシーバから指令メッセージを受信し、
指令メッセージの少なくとも１つの識別子に一致しない識別子をアクティブセットから除去するステップをさらに有する請求項１記載の方法。
【請求項９】
第１の基地局のトランシーバの識別を移動局のアクティブセットに付加し、
第１の基地局のトランシーバから指令メッセージを受信し、
指令メッセージの少なくとも１つの識別に一致しない識別子をアクティブセットから除去し、
第１の基地局のトランシーバとの通信を開始するステップをさらに有する請求項１記載の方法。
【請求項１０】
第１の基地局のトランシーバの識別子を移動局においてアクティブセットに付加し、
ここで、少なくとも１つのトランシーバの識別子は近隣トランシーバの識別子であり、
第１の基地局のトランシーバから指令メッセージを受信するステップをさらに有する請求項１記載の方法。
【請求項１１】
さらに、第１の基地局のトランシーバの識別子を移動局においてアクティブセットに付加し、
ここで少なくとも１つのトランシーバの識別子は近隣トランシーバの識別子を含んでおり、
近隣のトランシーバの識別子はシステム制御装置により与えられ、
指令メッセージを検索するためアクティブセットの識別子を使用するステップを有する請求項１記載の方法。
【請求項１２】
第１の基地局のトランシーバの識別子を移動局においてアクティブセットに付加し、
近隣のトランシーバの識別子を移動局においてアクティブセットに付加するステップをさらに有する請求項１記載の方法。
【請求項１３】
さらに、移動局が通信していない少なくとも１つのトランシーバの識別を移動局においてアクティブセットに付加し、
近隣のトランシーバの識別子を移動局においてアクティブセットに付加し、ここで近隣のトランシーバの識別子はシステム制御装置により与えられる請求項１記載の方法。
【請求項１４】
さらに、移動局が通信していない少なくとも１つのトランシーバの識別子を移動局においてアクティブセットに付加し、
少なくとも１つの近隣トランシーバの識別子を移動局においてアクティブセットに付加し、ここで、少なくとも１つの近隣トランシーバの識別子がシステム制御装置により与えられ、
検索はアクティブセットの識別子を使用する指令メッセージの検索を含んでおり、
少なくとも１つの近隣トランシーバから指令メッセージを受信する請求項１記載の方法。
【請求項１５】
さらに、第１の基地局のトランシーバの識別子を移動局においてアクティブセットに付加し、
少なくとも１つの近隣トランシーバの識別子を移動局においてアクティブセットに付加し、ここで少なくとも１つの近隣トランシーバの識別子がシステム制御装置により与えられ、
アクティブセットの識別子を使用して指令メッセージを検索し、
第１のトランシーバから指令メッセージを受信する請求項１記載の方法。
【請求項１６】
第１の基地局トランシーバはセルラシステムの１つのセルに対してカバー区域を与える請求項１記載の方法。
【請求項１７】
第１の基地局トランシーバはセルラシステム中の１つのセルの１セクタにカバー区域を与える請求項１記載の方法。
【発明の詳細な説明】
【技術分野】
【０００１】
本発明は通信分野、特に無線通信システムのセルまたはセクタ間の通信をハンドオフするための改良された方法およびシステムに関する。
【背景技術】
【０００２】
無線セルラ通信は人々が相互に通信する一般的な方法になっている。米国電気通信工業会と電子機械工業会（ＴＩＡ／ＥＩＡ）により発行されたＩＳ−９５Ｂとして通常知られている工業標準方式にしたがった通常の無線セルラ通信システムは、１つのタイプの無線セルラ通信が実行される方法を限定している。ＩＳ−９５Ｂにしたがって、（無線セルラ移動体電話等の）移動局は他の移動局、通常の電話または他のこのような通信装置と、少なくとも１つのセルラ基地局を含む通信リンクによって通信する。移動局は無線信号をセルラ基地局へ送信する。セルラ基地局は通常の電話回路（通常公衆交換電話網（ＰＳＴＮ）として知られている）を含む有線ネットワークへ接続を設定する。
【０００３】
移動局は通信リンクの他方の端部の装置と通信する（即ち“呼”を行う）ように一度に１つの基地局を通じて通信を設定することだけを必要とする。しかしながら、移動局が移動するとき、移動局と基地局は無線リンクによって通信する能力を失うかもしれない。例えば、移動局が基地局の範囲外に移動するか、または移動局と基地局の間に障害物が来た場合には、移動体と基地局との間の通信は妨害される。それ故、各基地局のカバー区域間にオーバーラップが存在するように基地局の配置が計画されている。このオーバーラップは移動局がシステムによりカバーされることを意図している地理点毎に少なくとも１つの基地局と接触することができることを確実にする。これは移動体が実質量の時間で全ての基地局との接触を失うならば、呼は“ドロップ”されるので重要である。一度呼がドロップされると、呼は移動局が再ダイヤルすることによって呼を再設定されなければならない。
【０００４】
基地局のカバー区域間の実質的なオーバーラップのために、“ソフトハンドオフ”として知られている手順が実行されることができる。ソフトハンドオフは、移動局が第１および第２の基地局の両者から同一の信号を受信するプロセスである。移動局は第２の基地局が利用可能になるときにはいつでもソフトハンドオフに入ることが好ましい（即ち第２の基地局からの信号が移動局により受信される）。ソフトハンドオフは移動局が第１の基地局のカバー区域外に移動し第２の基地局のカバー区域に入ったときに呼がドロップされないことを確実にする。
【０００５】
ソフトハンドオフを実行する１つの通常の方法が図１に示されている。図１は移動局101 、第１の基地局103 、第２の基地局105 、移動体中央交換局（ＭＳＣ）107 を示している。さらに、それぞれの間の通信の時間シーケンスを以下説明する。例えば移動局101 から図で下降する垂線109 で終端する矢印の頭は移動局101 により受信される信号を表している。垂線109 で矢印の頭がなく終端する矢印（即ち開始位置）は移動局101 から送信されている信号を表している。図面の上部に近い矢印は、図面の下部に近い矢印により表されている信号よりも前に送信される信号を表している。幾つかの例では、他の矢印よりも上にある矢印は連続して送信され下方の矢印により表される信号と同時に送信されてもよい信号を表している。例えば、矢印111 により表される通信（トラヒック）信号は矢印113 により表されているパイロット強度測定メッセージ（ＰＳＭＭ）と同時に送信され続ける。
【０００６】
図１で示されているように、移動局101 と基地局103 との間で最初に送信される。移動局101 から基地局103 へ送信されるトラヒックはその後、基地局103 によりＭＳＣ107 へ送られる。同様に、ＭＳＣ107 で発生するトラヒックは基地局103 へ送信される、この通信はその後、基地局103 から移動局101 へ送信される。移動局101 が十分なパワーで第２の基地局105 からパイロット信号を検出するとき、移動局101 は、予め定められたしきい値を超える信号レベルで現在受信された全てのパイロットのパイロット強度を示すＰＳＭＭを第１の基地局103 へ送信する。図１で示されているケースでは、ＰＳＭＭは移動局101 が第１の基地局103 と第２の基地局105 の両者から予め定められたしきい値を超えるパイロット信号を受信していることを示している。このＰＳＭＭはその後、矢印115 により表されているように、第１の基地局103 からＭＳＣ107 へ送信される。ＭＳＣ107 は、ブロック116 により示されているように第２の基地局105 と移動局101 との間に通信リンクを設けるようにリソースの割当を第２の基地局105 へリクエストすることによって、このＰＳＭＭの受信に応答する。さらにＭＳＣ107 はハンドオフ指令メッセージ（ＨＤＭ）を発生する。このＨＤＭは、矢印119 で表されている時間遅延後、矢印117 により表されているように、ＭＳＣ107 から第１の基地局103 へ送信される。ＨＤＭメッセージはその後、矢印121 で表されているように、第１の基地局103 から移動局101 へ送信される。ＨＤＭは第２の基地局105 と移動局101 との間に通信路を設定するためのリソースを割当てるように第２の基地局105 に対してリクエストが行われたことを移動局101 へ示している。
【０００７】
移動局101 は第２の基地局105 を移動局101 の“アクティブセット”へ付加し、矢印123 と125 により表されているようにハンドオフ完了メッセージ（ＨＤＣ）を第１の基地局103 と第２の基地局105 の両者へ送信することによってＨＤＭに応答する。第１の基地局103 と第２の基地局105 の両者は矢印127 と129 により表されているようにＨＣＭをＭＳＣ107 へ送信する。移動局101 のアクティブセットは移動局101 とアクティブに通信している基地局を示す。トラヒックはその後、第１の基地局103 と第２の基地局105 の両者を通じてＭＳＣ107 から移動局101 へ送信される。
【０００８】
この手順はほとんどのケースで良好に作用する。しかしながら、幾つかのケースでは、第２の基地局105 から送信されたパイロット信号は、第１の基地局103 から受信された信号が移動局101 により受信されなくなる少し前に移動局により受信される。ＰＳＭＭ115 の受信と第１の基地局103 からのＨＤＭの送信との間の時間遅延の状態が、移動局101 と第１の基地局103 との間の通信リンクがＨＤＭが移動局101 により第１の基地局103 から受信されることができる前に劣化するようであるならば、呼はドロップする。
【発明の概要】
【０００９】
開示される方法および装置は、アクティブな基地局と移動局との間の通信リンクが移動局がハンドオフ指令メッセージを受信する前に劣化したときでさえもソフトハンドオフを完了させることを可能にする。移動局は“アクティブセット”と呼ばれる移動局が通信している基地局のリストを維持する。さらに、移動局はアクティブセットの基地局に近接する基地局の別のリストを維持している。このリストは“近隣セット”と呼ばれる。移動局内のメモリには移動局が近隣セットのこれらの基地局から送信される情報を復調することを可能にする情報が含まれている。開示される方法および装置にしたがって、移動局はパイロット強度測定メッセージ（ＰＳＭＭ）中に基地局を含むとき、アクティブセット中に基地局位置させる。その代わりに、移動局は基地局から送信された信号が予め定められたしきい値よりも大きい信号強度で受信されていることを検出したとき、アクティブセット中に基地局を位置させる。
【００１０】
移動局はアクティブセットの全ての基地局からの送信を監視する。移動局から送信されたＰＳＭＭが基地局によって受信されたとき、基地局はＰＳＭＭを移動体中央交換局（ＭＳＣ）へ送信する。ＭＳＣはその後、ＰＳＭＭ中に示されている各基地局に、リソースを移動局へ割当てて、ハンドオフ指令メッセージ（ＨＤＭ）を送信するようにリクエストする。したがって、移動体が現在トラヒックを受信している基地局との通信が、その基地局が適切にＨＤＭを移動局へ送信する前に故障した場合であっても、移動局は、移動局により送信されたＰＳＭＭで示された他の各基地局からＨＤＭを受信する。これらの各基地局は移動局のアクティブセット中に含まれるので、移動局はこのような各基地局からの通信を監視し、したがってＨＤＭを受信する。
【図面の簡単な説明】
【００１１】
【図１】従来技術にしたがってソフトハンドオフを実行する１方法の説明図。
【図２】本発明の装置の１実施形態にしたがった移動局の概略図。
【図３】本発明の装置の１実施形態にしたがった基地局の概略図。
【図４】本発明の装置の１実施形態にしたがった移動体中央交換局（ＭＳＣ）の概略図。
【図５】移動局、基地局、ＭＳＣを含んでいる通信システムの概略図。
【図６】本発明の方法および装置にしたがった移動局、基地局、基地局、ＭＳＣ間のメッセージの流れを示した説明図。
【図７】本発明の方法および装置にしたがった移動局により実行される処理手順を示しているフローチャート。
【図８】本発明の方法および装置にしたがったＭＳＣにより実行される処理手順を示したフローチャート。
【詳細な説明】
【００１２】
本発明の好ましい代わりの実施形態についての詳細を添付図面と以下の説明で説明する。本発明の詳細が一度知られると、多数の付加的な技術革新と変化が当業者に明白になるであろう。種々の図面中の同一の参照数字および符号は同一の素子を示している。  
この説明を通じて、説明する好ましい実施形態および例は本発明を限定とするものではなく例示として考慮されるべきである。
【００１３】
図２は本発明の装置の１実施形態にしたがった移動局200 （図１の101 ）を示している。図２で示されているように、移動局200 はフロントエンド201 、信号プロセッサ203 、汎用プロセッサ205 、メモリ207 を有する。メモリは“アクティブセット”が記録される区域209 と、“近隣セット”が記憶される区域211 を有する。移動局101 の各構成要素の機能を後述する。
【００１４】
図３は本発明の装置の１実施形態にしたがった基地局300 を示している。図３で示されているように、基地局はフロントエンド301 、信号プロセッサ303 、汎用プロセッサ305 、メモリ307 、通信インターフェイス308 を有する。基地局300 の各構成要素の機能を後述する。
【００１５】
図４は本発明の装置の１実施形態にしたがった移動体中央交換局（ＭＳＣ）400 を示している。図４で示されているように、中央交換局は通信インターフェイス401 、汎用プロセッサ403 、メモリ405 を有する。ＭＳＣ400 の各構成要素の機能について後述する。
【００１６】
図５は移動局 200Ａ〜Ｃ、基地局 300Ａ〜Ｃ、ＭＳＣ 400を含んでいる通信システムを示している。図５で示されている移動局、基地局、ＭＳＣの数は開示された装置および方法を示すのに便利にするために単に選択されていることに留意すべきである。しかしながら説明した方法および装置を実行するシステムでは、典型的に多数のこれらの各構成要素が存在するであろう。それにもかかわらず、これらの構成要素間の関係は基本的に図５で示されているとおりである。
【００１７】
図５で示されているように、（セルラ電話等の）移動局200 はそれぞれ基地局300 のシステム内で移動する。各基地局はＭＳＣ400 と通信している。移動局200 からまたは移動局200 への呼が設定されたとき、移動局は基地局300 と通信する。基地局は“トラヒック”をＭＳＣ400 へ中継する。この説明の目的で、トラヒックは移動局200 から基地局へ送信される情報部分であり、これは呼の他端部の装置を目的地としている。ＭＳＣ400 は代わりに、典型的に公共交換電話網またはインターネットのような地上ベースシステムを経て呼の他の端部の装置へトラヒックを送信する。しかしながら、本発明の方法と装置の別の実施形態では、ＭＳＣ400 は衛星アップリンク、視線マイクロ波リンク、または他のこのような無線接続を経てトラヒックを送信してもよいことに留意すべきである。それ故、トラヒックがＭＳＣから別の装置へ通信される方法に限定されないことを理解すべきであり、トラヒックはＭＳＣから呼の他の端部にある別の装置へ通信される。
【００１８】
本発明の方法および装置の１実施形態では、基地局300 は３つのセクタ501 、502 、503 へ情報を送信するように配置されている。図５では１つの移動局 200Ａは第１の基地局 300Ａのセクタ 502Ａに存在し、同様に第２の基地局 300Ｂのセクタ 502Ｂと位置する。それ故、移動局 200Ａは基地局 300Ａと基地局 300Ｂの両者からパイロット信号を受信する。移動局 200Ａが最初に基地局 300Ａのセクタ 501Ａ中であるが、基地局 300Ｂから送信されるパイロット信号が以後“アクティブパイロットしきい値”と呼ばれる予め定められたしきい値を超えない状態である基地局 300Ｂから十分離れているならば、以下のプロセスが本発明の方法および装置にしたがって行われる。
【００１９】
基地局 300Ｂにより送信されたパイロットが最初に、アクティブパイロットしきい値を超えるパワーレベルで移動局 200Ａにより受信されるとき、移動局 200Ａはパイロット強度測定メッセージ（ＰＳＭＭ）を発生する。図２を参照すると、基地局 300Ａと基地局 300Ｂの両者からのパイロットは移動局 200Ａのフロントエンド201 により受信される。信号は好ましくはフロントエンド201 でデジタル化され、信号プロセッサ203 へ結合されている信号のデジタル表示を生成する。信号プロセッサ203 は通常の方法でパイロット信号の信号強度を決定する。各パイロットの信号強度値はその後、各パイロットがアクティブパイロットしきい値を超えるか否かを決定するために汎用プロセッサ205 と結合される。さらに、アクティブパイロットしきい値を超える信号強度で現在受信されている各パイロットが現在、メモリ207 で記憶されたアクティブセット209 にあるか否かについての決定が行われる。パイロットはアクティブパイロットしきい値を超えた信号レベルで受信されるが、アクティブセットにはないならば、ＰＳＭＭは汎用プロセッサ205 により発生される。
【００２０】
ＰＳＭＭは基地局とＭＳＣ400 との間で接続501 によりＭＳＣ 400へ送信される（図５参照）。ＰＳＭＭはアクティブパイロットしきい値よりも大きい信号レベルで現在受信された各パイロットを識別する。
【００２１】
さらに、移動局200 内の汎用プロセッサ205 は移動局200 により受信されている各パイロットを、すなわちそのパイロットの基地局の識別子をアクティブセット209 へ付加する。本発明の方法および装置の１実施形態では、汎用プロセッサ205 は現在アクティブセットにあるパイロットの数を決定する。アクティブセットが所望数よりも多数のパイロットを含んでいるならば、汎用プロセッサ205 は移動局200 からＰＳＭＭ中に存在した全てのパイロットの中から所望数のパイロットを選択する。アクティブセットに含まれるパイロットについての決定は、最強の信号レベルで移動局200 により受信されたパイロットを選択することによって行われることが好ましい。
【００２２】
パイロットが一度アクティブセット209 に含まれるならば、移動局200 はそのパイロットに関連する基地局から送信されている通信チャンネルを復調する。近隣セット中の各パイロットのトラヒックチャンネルの復調に必要とされる情報は近隣セットと共に記録される。アクティブセットに含まれるパイロットはアクティブパイロットのうちの１つに隣接するもの（即ちアクティブセットの１つのパイロット）である。それ故、アクティブパイロットしきい値よりも大きいパイロット信号強度で受信された任意のパイロットのトラヒックチャンネルを復調するのに必要な情報は移動局200 に有効であるべきである。本発明の方法および装置の１実施形態では、近隣セット211 に記憶された情報はアクティブセットのパイロットと関連される１以上の基地局により提供される。
【００２３】
移動局 200ＡがＰＳＭＭを基地局 300Ａへ一度送信すると、基地局 300ＡはＰＳＭＭをＭＳＣ400 へ中継する。図３を参照すると、基地局300 は、時間多元、符号多元された逆方向トラヒックチャンネルまたは制御チャンネルの一方でＰＳＭＭを受信し、またはそうでなければトラヒックおよびパイロットチャンネルから弁別される。ＰＳＭＭはフロントエンド301 を経て基地局により受信される。ＰＳＭＭはフロントエンド301 でデジタル化され、復調のため信号プロセッサ303 へ与えられる。信号プロセッサ303 は信号を復調し、通信インターフェイス308 を経てＭＳＣ400 へ送信するために信号の内容を汎用プロセッサ305 へ提供する。
【００２４】
図４を参照すると、ＭＳＣ400 はその中の通信インターフェイス401 を経て基地局からＰＳＭＭの内容を受信する。ＰＳＭＭの内容はその後汎用プロセッサ403 に結合される。ＭＳＣ400 内の汎用プロセッサ403 はＨＤＭを発生する。ＨＤＭは順方向トラヒックチャンネルを移動局 200Ａへ送信している基地局300 を示すメッセージである。ＭＳＣ400 は好ましくはトラヒックを送信するための１以上の基地局を選択する能力を有するので、ＨＤＭはアクティブセットのパイロットにより識別される基地局300 の中で実際にトラヒックを送信するものを移動局 200Ａに通知するのに必須である。
【００２５】
ＨＤＭはＰＳＭＭで示されている各基地局300 へ送信するためにＭＳＣ400 内の通信インターフェイス401 へ結合されて戻される。ＨＤＭは通信インターフェイス308 により各基地局300 内で受信される。ＨＤＭはその後、各基地局300 内の汎用プロセッサ305 に結合される。各汎用プロセッサ305 はＰＳＭＭを送信する移動局 200ＡへＨＤＭを結合する。基地局 300Ａにより純方向トラヒックチャンネルで送信された信号が移動局 200Ａにより受信されるのに十分な強度をもたなくても、移動局 200Ａは少なくとも基地局 300ＢからＨＤＭを受信する。
【００２６】
本発明の方法および装置をＰＳＭＭとＨＤＭ（工業的に良く知られた用語）を使用して説明したが、ここで説明した機能だけが、本発明の方法および装置に関連することを理解すべきである。それ故、工業標準ＰＳＭＭまたはＨＤＭがこの明細書では参照していない他の機能、フォーマットまたは特性を有するならば、これらは本発明の方法および装置の一部としては考慮されない。実際に、任意のメッセージフォーマットは、アクティブパイロットしきい値を超えるレベルで受信されているパイロットを基地局300 へ示すために使用されてもよい。同様に、任意のメッセージフォーマットはその移動局 200Ａへトラヒックを送信している基地局を移動局 200Ａへ示すために使用されてもよい。
【００２７】
図６は、本発明の方法および装置にしたがった移動局 200Ａ、基地局 300Ａ、基地局 300Ｂ、ＭＳＣ400 間のメッセージの流れを示した図である。図６で示されているように、トラヒックチャンネルは移動局 200Ａと基地局 300Ａ間で最初に設定される。移動局 200Ａがアクティブパイロットしきい値を超える基地局 300Ａからのパイロットを検出するとき、移動局 200ＡはＰＳＭＭを基地局 300Ａへ送信する。ＰＳＭＭは、移動局 200Ａがアクティブパイロットしきい値よりも大きいレベルで基地局 300Ａおよび基地局 300Ｂの両者からパイロットを現在受信していることを示す。これは図６では“ＰＳＭＭ”に続いて括弧で“Ｘ”と“Ｙ”により示されている。ＰＳＭＭは基地局 300ＡによりＭＳＣ400 へ中継される。ＭＳＣ400 は、基地局 300Ｂにより割当てられるリソースが移動局 200Ａとの間のトラヒックチャンネルをサポートするようにリクエストするために基地局 300Ｂと通信する。ＭＳＣ400 はその後、基地局 300Ａと 300Ｂの両者が移動局へのトラヒックチャンネルを設定することを示すＨＤＭを発生し、基地局 300Ａと 300Ｂの両者へ送信する。移動局 200Ａはその後、ハンドオフ完了メッセージＨＤＣを発生し、送信する。ＨＤＣは基地局 300Ａにより受信され、ＭＳＣ400 へ中継される。ＨＤＣは移動体が適切にＨＤＭを受信していることをＭＳＣ400 へ示す。
【００２８】
図７は本発明の方法および装置にしたがった移動局により実行される処理を示しているフローチャートである。図７で示されている方法にしたがって、移動局 200Ａは任意のパイロットがアクティブパイロットしきい値を超えるレベルで受信されているか否かを決定する（ステップ701 ）。任意のパイロットがアクティブパイロットしきい値を超えるレベルで受信されているならば、移動局 200Ａは各このようなパイロットがアクティブセット209 であるか否かを決定する（ステップ703 ）。これらのパイロットのうち少なくとも１つがアクティブセット209 にはないならば、ＰＳＭＭが発生され、移動局が現在通信チャンネルを設定している基地局（即ちアクティブセットに現在存在するパイロットに関連した基地局300 ）へ送信される（ステップ705 ）。
【００２９】
次に、移動局 200Ａはアクティブセット209 にアクティブパイロットしきい値を超えるレベルで受信された各パイロットを位置させる（ステップ707 ）。全てのこれらのパイロットをアクティブセット中に位置させた後、移動局 200ＡはＨＤＭを受信するためにアクティブセットのパイロットに関連する各基地局からの送信を監視する（ステップ709 ）。一度ＨＤＭが受信されると、移動局 200Ａはハンドオフが完了していることを示すＨＣＭを発生し送信する（ステップ711 ）。移動局 200Ａはその後トラヒックチャンネルによってＨＤＭに示されている各基地局との送信および受信を開始する（ステップ713 ）。
【００３０】
図８は、本発明の方法および装置にしたがったＭＳＣにより実行される処理手順を示したフローチャートである。図８で示されている方法にしたがって、ＭＳＣ400 は移動局 200ＡからのＰＳＭＭの受信を待機する（ステップ801 ）。ＰＳＭＭを受信するとき、ＭＳＣ400 はＰＳＭＭで識別されたパイロットに関連する各基地局が移動局 200Ａへリソースを割当てるようにリクエストする（ステップ803 ）。その代わりに、ＭＳＣ400 はまだ基地局 200Ａとの間のトラヒックチャンネルをもたない基地局とだけ接触する。１方法によれば、リソースが割当てられている確認を受信したとき、ＭＳＣ400 は、基地局 200Ａに現在割当てられたリソースを有する基地局を示すＨＤＭを発生し送信する（ステップ805 ）。その代わりに、ＨＤＭはＰＳＭＭに応答してリソースを割当てた基地局だけを識別し、リソースを先にＰＳＭＭの受信に既に割当てた基地局を識別しない。ＨＤＭはＰＳＭＭにより示された各基地局へ送信されることが好ましい。代わりの方法では、ＨＤＭはＨＤＭで識別された基地局（即ち基地局 200Ａへ適切に割当てられたリソースを有する基地局）だけに送信される。１つの方法では、ＨＤＭはアクティブセットへ最近付加された基地局だけに送信される。
【００３１】
ＭＳＣ400 はその後、ＨＣＭが受信されるのを待機する（ステップ807 ）。ＨＣＭはハンドオフが完了することを示す。ＨＣＭはアクティブセット209 中に現在存在する基地局の全てまたはその幾つかを通じて移動局 200Ａから受信されてもよい。
【００３２】
ＨＣＭを受信したとき、ＭＳＣ400 はＨＣＭで識別された各基地局300 を通してトラヒックの経路設定を開始する。
【図１】
2010226731.tif 000003
【図２】
2010226731.tif 000004
【図３】
2010226731.tif 000005
【図４】
2010226731.tif 000006
【図５】
2010226731.tif 000007
【図６】
2010226731.tif 000008
【図７】
2010226731.tif 000009
【図８】
2010226731.tif 000010
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
複数の基地局のトランシーバから送信される信号強度を測定し、
測定された信号強度がしきい値よりも大きい各基地局のトランシーバを識別し、
前記識別された基地局のトランシーバのインジケータを第１のセットに置き、
前記インジケータを送信し、
第１のセット中の前記インジケータを用いて指令メッセージをサーチし、
トラフィックチャンネルを介して前記移動局と通信していない前記識別された基地局のトランシーバの少なくとも１つから指令メッセージを受信し、
指令メッセージにしたがって第１のセット中の前記インジケータを調節するように構成されている少なくとも１つのプロセッサを具備する、移動局。
【請求項２】
前記少なくとも１つのプロセッサはさらに、第１のセットに含まれていない前記識別された基地局のトランシーバのインジケータを決定し、決定されたインジケータを第１のセットに置くように構成されている、請求項１記載の移動局。
【請求項３】
前記少なくとも１つのプロセッサはさらに、第１のセット中の前記インジケータを送信するように構成されている、請求項１記載の移動局。
【請求項４】
前記少なくとも１つのプロセッサはさらに、第１のセットに含まれていない前記識別された基地局のトランシーバのインジケータを決定し、決定されたインジケータを送信するように構成されている、請求項１記載の移動局。
【請求項５】
前記指令メッセージは、少なくとも１つの近隣基地局のトランシーバの識別子を含んでいる、請求項１記載の移動局。
【請求項６】
前記少なくとも１つのプロセッサによって実行可能な命令を格納するメモリをさらに具備する、請求項１記載の移動局。
【請求項７】
前記少なくとも１つのプロセッサはさらに、前記移動局と通信していない前記識別された基地局のトランシーバの少なくとも１つでトラヒックチャンネルを設定するように構成されている、請求項１記載の移動局。
【請求項８】
複数の基地局のトランシーバから受信される複数の第１のチャンネルの各々に対する信号強度を移動局で測定し、
測定された信号強度がしきい値よりも大きい第１のチャンネルを移動局で識別し、
移動局で、前記識別された第１のチャンネルのインジケータを第１のセットに置き、
第１のセットに含まれている前記インジケータを用いて指令メッセージをサーチし、
指令メッセージを移動局で受信し、
指令メッセージにしたがって第１のセット中の前記インジケータを調節することを含んでいる、ソフトハンドオフ方法。
【請求項９】
前記識別された第１のチャンネルのインジケータを第１のセットに置くことは、第１のセットに含まれていない前記識別された第１のチャンネルのインジケータを決定し、決定されたインジケータを第１のセットに置くことを含んでいる、請求項８記載の方法。
【請求項１０】
移動局から前記インジケータを送信することをさらに含んでいる、請求項８記載の方法。
【請求項１１】
前記インジケータを送信することは第１のセットに置かれた前記インジケータを送信することを含んでいる、請求項１０記載の方法。
【請求項１２】
前記インジケータを送信することは、第１のセットに含まれていない前記識別された第１のチャンネルのインジケータを決定し、決定されたインジケータを送信することを含んでいる、請求項１０記載の方法。
【請求項１３】
複数の基地局のトランシーバから受信される複数の第１のチャンネルの各々に対する信号強度を測定し、
測定された信号強度がしきい値よりも大きい第１のチャンネルを識別し、
前記識別された第１のチャンネルのインジケータを第１のセットに置き、
第１のセットに含まれている前記インジケータを用いて指令メッセージをサーチし、
指令メッセージを受信し、
指令メッセージにしたがって第１のセット中の前記インジケータを調節するように構成されている少なくとも１つのプロセッサを具備する、移動局。
【請求項１４】
前記少なくとも１つのプロセッサはさらに、第１のセットに含まれていない前記識別された第１のチャンネルのインジケータを決定し、決定されたインジケータを第１のセットに置くように構成されている、請求項１３記載の移動局。
【請求項１５】
前記少なくとも１つのプロセッサはさらに、前記インジケータを送信するように構成されている、請求項１３記載の移動局。
【請求項１６】
前記少なくとも１つのプロセッサはさらに、第１のセットに置かれた前記インジケータを送信するように構成されている、請求項１３記載の移動局。
【請求項１７】
前記少なくとも１つのプロセッサはさらに、第１のセットに含まれていない前記識別された第１のチャンネルのインジケータを決定し、決定されたインジケータを送信するように構成されている、請求項１３記載の移動局。
【請求項１８】
前記少なくとも１つのプロセッサによって実行可能な命令を格納するメモリをさらに具備する、請求項１３記載の移動局。
【請求項１９】
複数の基地局のトランシーバから送信される信号強度を測定する手段と、
測定された信号強度がしきい値よりも大きい各基地局のトランシーバを識別する手段と、
前記識別された基地局のトランシーバのインジケータを第１のセットに置く手段と、
前記インジケータを送信する手段と、
第１のセット中の前記インジケータを用いて指令メッセージをサーチする手段と、
トラフィックチャンネルを介して移動局と通信していない前記識別された基地局のトランシーバの少なくとも１つから指令メッセージを受信する手段と、
指令メッセージにしたがって第１のセット中の前記インジケータを調節する手段とを具備する、無線通信のための装置。
【請求項２０】
複数の基地局のトランシーバから受信される複数の第１のチャンネルの各々に対する信号強度を測定する手段と、
測定された信号強度がしきい値よりも大きい第１のチャンネルを識別する手段と、
前記識別された第１のチャンネルのインジケータを第１のセットに置く手段と、
第１のセット中の前記インジケータを用いて指令メッセージをサーチする手段と、
指令メッセージを移動局で受信する手段と、
指令メッセージにしたがって第１のセット中の前記インジケータを調節する手段とを具備する、無線通信のための装置。
【請求項２１】
前記移動局と通信していない前記識別された基地局のトランシーバの少なくとも１つでトラヒックチャンネルを設定する手段をさらに具備する、請求項１９記載の装置。
【手続補正２】
【補正対象書類名】明細書
【補正対象項目名】０００６
【補正方法】変更
【補正の内容】
【０００６】
図１で示されているように、トラヒック信号111は移動局101 と基地局103 との間で最初に送信される。移動局101 から基地局103 へ送信されるトラヒックはその後、基地局103 によりＭＳＣ107 へ送られる。同様に、ＭＳＣ107 で発生するトラヒックは基地局103 へ送信される、この通信はその後、基地局103 から移動局101 へ送信される。移動局101 が十分なパワーで第２の基地局105 からパイロット信号を検出するとき、移動局101 は、予め定められたしきい値を超える信号レベルで現在受信された全てのパイロットのパイロット強度を示すＰＳＭＭを第１の基地局103 へ送信する。図１で示されているケースでは、ＰＳＭＭは移動局101 が第１の基地局103 と第２の基地局105 の両者から予め定められたしきい値を超えるパイロット信号を受信していることを示している。このＰＳＭＭはその後、矢印115 により表されているように、第１の基地局103 からＭＳＣ107 へ送信される。ＭＳＣ107 は、ブロック116 により示されているように第２の基地局105 と移動局101 との間に通信リンクを設けるようにリソースの割当を第２の基地局105 へリクエストすることによって、このＰＳＭＭの受信に応答する。さらにＭＳＣ107 はハンドオフ指令メッセージ（ＨＤＭ）を発生する。このＨＤＭは、矢印119 で表されている時間遅延後、矢印117 により表されているように、ＭＳＣ107 から第１の基地局103 へ送信される。ＨＤＭメッセージはその後、矢印121 で表されているように、第１の基地局103 から移動局101 へ送信される。ＨＤＭは第２の基地局105 と移動局101 との間に通信路を設定するためのリソースを割当てるように第２の基地局105 に対してリクエストが行われたことを移動局101 へ示している。
【手続補正３】
【補正対象書類名】明細書
【補正対象項目名】０００７
【補正方法】変更
【補正の内容】
【０００７】
移動局101 は第２の基地局105 を移動局101 の“アクティブセット”へ付加し、矢印123 と125 により表されているようにハンドオフ完了メッセージ（ＨＣＭ）を第１の基地局103 と第２の基地局105 の両者へ送信することによってＨＤＭに応答する。第１の基地局103 と第２の基地局105 の両者は矢印127 と129 により表されているようにＨＣＭをＭＳＣ107 へ送信する。移動局101 のアクティブセットは移動局101 とアクティブに通信している基地局を示す。トラヒックはその後、第１の基地局103 と第２の基地局105 の両者を通じてＭＳＣ107 から移動局101 へ送信される。
【手続補正４】
【補正対象書類名】明細書
【補正対象項目名】００２７
【補正方法】変更
【補正の内容】
【００２７】
図６は、本発明の方法および装置にしたがった移動局 200Ａ、基地局 300Ａ、基地局 300Ｂ、ＭＳＣ400 間のメッセージの流れを示した図である。図６で示されているように、トラヒックチャンネルは移動局 200Ａと基地局 300Ａ間で最初に設定される。移動局 200Ａがアクティブパイロットしきい値を超える基地局 300Ａからのパイロットを検出するとき、移動局 200ＡはＰＳＭＭを基地局 300Ａへ送信する。ＰＳＭＭは、移動局 200Ａがアクティブパイロットしきい値よりも大きいレベルで基地局 300Ａおよび基地局 300Ｂの両者からパイロットを現在受信していることを示す。これは図６では“ＰＳＭＭ”に続いて括弧で“Ｘ”と“Ｙ”により示されている。ＰＳＭＭは基地局 300ＡによりＭＳＣ400 へ中継される。ＭＳＣ400 は、基地局 300Ｂにより割当てられるリソースが移動局 200Ａとの間のトラヒックチャンネルを支持するようにリクエストするために基地局 300Ｂと通信する。ＭＳＣ400 はその後、基地局 300Ａと 300Ｂの両者が移動局への通信を設定することを示すＨＤＭを発生し、基地局 300Ａと 300Ｂの両者へ送信する。移動局 200Ａはその後、ハンドオフ完了メッセージＨＣＭを発生し、送信する。ＨＣＭは基地局 300Ａにより受信され、ＭＳＣ400 へ中継される。ＨＣＭは移動体が適切にＨＤＭを受信していることをＭＳＣ400 へ示す。
【手続補正５】
【補正対象書類名】明細書
【補正対象項目名】００３２
【補正方法】変更
【補正の内容】
【００３２】
ＨＣＭを受信したとき、ＭＳＣ400 はＨＣＭで識別された各基地局300 を通してトラヒックの経路設定を開始する。
以下に、本願出願の当初の特許請求の範囲に記載された発明を付記する。
[１] 移動局と第２の基地局のトランシーバ間のトラヒックチャンネルが通信に使用されながら少なくとも第１の基地局のトランシーバにより送信される信号強度を移動局で測定し、
移動局と現在ソフトハンドオフしておらず、移動局により測定された信号強度がしきい値よりも大きい信号強度を有する第１の基地局を第２の基地局に対して識別し、
第１の基地局の識別に応答して第１の基地局と移動局間にトラヒックチャンネルを設定するステップを有するソフトハンドオフ方法。
[２] データを移動局へ送信するように第１の基地局のトランシーバに命令するステップをさらに有する請求項１記載の方法。
[３] リソース割当命令を送信するステップをさらに有し、
リソース割当命令の送信はシステム制御装置によって移動局との通信を処理するように第１の基地局のトランシーバへ助言する請求項１記載の方法。
[４] 移動局が通信していない第１のトランシーバから指令メッセージを送信するステップをさらに有する請求項１記載の方法。
[５] 移動局においてアクティブセットに、移動局が通信していない第１のトランシーバの識別子を付加するステップをさらに有し、付加前にアクティブセットは移動局が通信している基地局トランシーバの識別を含んでいる請求項１記載の方法。
[６] 移動局が通信していない第１の基地局のトランシーバから指令メッセージを受信するステップをさらに有する請求項１記載の方法。
[７] 移動局が通信していない第１の基地局のトランシーバの識別子を移動局においてアクティブセットに付加し、
移動局が通信していない第１の基地局のトランシーバから指令メッセージを受信するステップをさらに有する請求項１記載の方法。
[８] 移動局が通信していない第１の基地局のトランシーバの識別を移動局のアクティブセットに付加し、
移動局が通信していない第１の基地局のトランシーバから指令メッセージを受信し、
指令メッセージの少なくとも１つの識別子に一致しない識別子をアクティブセットから除去するステップをさらに有する請求項１記載の方法。
[９] 第１の基地局のトランシーバの識別を移動局のアクティブセットに付加し、
第１の基地局のトランシーバから指令メッセージを受信し、
指令メッセージの少なくとも１つの識別に一致しない識別子をアクティブセットから除去し、
第１の基地局のトランシーバとの通信を開始するステップをさらに有する請求項１記載の方法。
[１０] 第１の基地局のトランシーバの識別子を移動局においてアクティブセットに付加し、
ここで、少なくとも１つのトランシーバの識別子は近隣トランシーバの識別子であり、
第１の基地局のトランシーバから指令メッセージを受信するステップをさらに有する請求項１記載の方法。
[１１] さらに、第１の基地局のトランシーバの識別子を移動局においてアクティブセットに付加し、
ここで少なくとも１つのトランシーバの識別子は近隣トランシーバの識別子を含んでおり、
近隣のトランシーバの識別子はシステム制御装置により与えられ、
指令メッセージを検索するためアクティブセットの識別子を使用するステップを有する請求項１記載の方法。
[１２] 第１の基地局のトランシーバの識別子を移動局においてアクティブセットに付加し、
近隣のトランシーバの識別子を移動局においてアクティブセットに付加するステップをさらに有する請求項１記載の方法。
[１３] さらに、移動局が通信していない少なくとも１つのトランシーバの識別を移動局においてアクティブセットに付加し、
近隣のトランシーバの識別子を移動局においてアクティブセットに付加し、ここで近隣のトランシーバの識別子はシステム制御装置により与えられる請求項１記載の方法。
[１４] さらに、移動局が通信していない少なくとも１つのトランシーバの識別子を移動局においてアクティブセットに付加し、
少なくとも１つの近隣トランシーバの識別子を移動局においてアクティブセットに付加し、ここで、少なくとも１つの近隣トランシーバの識別子がシステム制御装置により与えられ、
検索はアクティブセットの識別子を使用する指令メッセージの検索を含んでおり、
少なくとも１つの近隣トランシーバから指令メッセージを受信する請求項１記載の方法。
[１５] さらに、第１の基地局のトランシーバの識別子を移動局においてアクティブセットに付加し、
少なくとも１つの近隣トランシーバの識別子を移動局においてアクティブセットに付加し、ここで少なくとも１つの近隣トランシーバの識別子がシステム制御装置により与えられ、
アクティブセットの識別子を使用して指令メッセージを検索し、
第１のトランシーバから指令メッセージを受信する請求項１記載の方法。
[１６] 第１の基地局トランシーバはセルラシステムの１つのセルに対してカバー区域を与える請求項１記載の方法。
[１７] 第１の基地局トランシーバはセルラシステム中の１つのセルの１セクタにカバー区域を与える請求項１記載の方法。
【外国語明細書】
2010226731000001.pdf